(57)【要約】【課題】複数の光コネクタプラグを確実且つ十分に挿入することができる光コネクタ及びアダプタを提供する。【解決手段】一実施形態に係る光コネクタは、複数のアダプタに接続方向に沿って一括して接続される複数の光コネクタプラグ１０を備えた光コネクタであって、各光コネクタプラグ１０は、光ファイバを保持するフェルール１１と、フェルール１１のフェルール端面１１ａよりもアダプタの反対側に位置しており各アダプタに当接する当接部１２ａ，１３ａ，１４ａ，１４ｂと、を備え、フェルール端面１１ａから当接部１２ａ，１３ａ，１４ａ，１４ｂまでの距離Ｂ１，Ｂ２，Ｂ３，Ｂ４のそれぞれは、光コネクタの国際規格で定められたフェルール端面から当接部までの距離Ａ１，Ａ２，Ａ３，Ａ４のそれぞれよりも長い。【選択図】図３
2019053187.tif 000002
【特許請求の範囲】
【請求項１】
複数のアダプタに接続方向に沿って一括して接続される複数の光コネクタプラグを備えた光コネクタであって、
各前記光コネクタプラグは、光ファイバを保持するフェルールと、前記フェルールのフェルール端面よりも前記アダプタの反対側に位置しており各前記アダプタに当接する当接部と、
を備え、
前記フェルール端面から前記当接部までの距離は、光コネクタの国際規格で定められたフェルール端面から当接部までの距離よりも長い、
光コネクタ。
【請求項２】
複数の光コネクタプラグのそれぞれに対応して設けられ、前記光コネクタプラグが接続方向に沿って接続するアダプタであって、
前記光コネクタプラグに当接される被当接部を備え、
前記光コネクタプラグ側に位置するアダプタ端面から前記被当接部までの距離は、光コネクタの国際規格で定められたアダプタ端面から被当接部までの距離よりも長い、
アダプタ。
【請求項３】
前記光コネクタプラグは、前記フェルールを収容するフロントハウジングと、前記アダプタに係合するラッチ機構と、を有し、
前記当接部は、前記フロントハウジングの前記アダプタ側に位置する第１当接部、及び、前記ラッチ機構の前記アダプタ側に位置する第２当接部を含む、
請求項１に記載の光コネクタ。
【請求項４】
前記光コネクタプラグは、前記フロントハウジングの前記アダプタとの反対側に位置するリアハウジングを更に有し、
前記当接部は、前記リアハウジングの前記アダプタ側に位置する第３当接部を含む、
請求項３に記載の光コネクタ。
【請求項５】
前記光コネクタプラグは、前記フェルールを収容する収容凹部を備えたフロントハウジングを有し、
前記当接部は、前記収容凹部の底面である第４当接部、を含む、
請求項１に記載の光コネクタ。
【請求項６】
前記被当接部は、前記光コネクタプラグのフロントハウジングが当接する第１被当接部、及び前記光コネクタプラグのラッチ機構が当接する第２被当接部を含む、
請求項２に記載のアダプタ。
【請求項７】
前記被当接部は、前記光コネクタプラグのリアハウジングが当接する第３被当接部を含む、
請求項６に記載のアダプタ。
【請求項８】
前記被当接部は、前記光コネクタプラグの係合凹部に係合するラッチ機構の係合突起を含む、
請求項２に記載のアダプタ。
【発明の詳細な説明】
【技術分野】
【０００１】
本発明は、一括して接続される複数の光コネクタプラグを備えた光コネクタ及びアダプタに関する。
【背景技術】
【０００２】
特許文献１には、複数の光コネクタプラグを一括して挿抜する光コネクタが記載されている。光コネクタは、３つのプラグユニットと、３つのプラグユニットの周囲を覆うハウジングと、ハウジングの内側で３つのプラグユニットを支持する支持平板と、を備える。３つのプラグユニットのそれぞれは、アダプタとの係合を行うロック機構（ラッチ機構）を備える。
【先行技術文献】
【特許文献】
【０００３】
【特許文献１】特開２０１２−２４２７８１号公報
【発明の概要】
【発明が解決しようとする課題】
【０００４】
前述の光コネクタでは、３つの光コネクタプラグのそれぞれがアダプタに挿入される。ところで、アダプタに光コネクタプラグを挿入して光コネクタプラグを係合するときには、ラッチ機構によって音が発生する。この音によって光コネクタプラグが十分に挿入されたことを確認することが可能となる。
【０００５】
しかしながら、複数の光コネクタプラグを一括で係合する場合、光コネクタプラグの数だけ音が発生する。よって、光コネクタプラグの数が多い場合には、発生する音の数が多くなるので、全ての光コネクタプラグが十分に挿入されているか否かを判別しにくくなる。従って、寸法誤差等によって一部の光コネクタプラグが他の光コネクタプラグよりもアダプタの反対側に位置するときに、一部の光コネクタプラグが十分に挿入されないことが懸念される。このため、複数の光コネクタプラグを確実且つ十分に挿入できることが求められる。
【０００６】
本発明の一側面は、複数の光コネクタプラグを確実且つ十分に挿入することができる光コネクタ及びアダプタを提供することを目的とする。
【課題を解決するための手段】
【０００７】
本発明の一側面に係る光コネクタは、複数のアダプタに接続方向に沿って一括して接続される複数の光コネクタプラグを備えた光コネクタであって、各光コネクタプラグは、光ファイバを保持するフェルールと、フェルールのフェルール端面よりもアダプタの反対側に位置しており各アダプタに当接する当接部と、を備え、フェルール端面から当接部までの距離は、光コネクタの国際規格で定められたフェルール端面から当接部までの距離よりも長い。
【０００８】
本発明の一側面に係るアダプタは、複数の光コネクタプラグのそれぞれに対応して設けられ、光コネクタプラグが接続方向に沿って接続するアダプタであって、光コネクタプラグに設けられたフェルールに当接される被当接部を備え、光コネクタプラグ側に位置するアダプタ端面から被当接部までの距離は、光コネクタの国際規格で定められたアダプタ端面から被当接部までの距離よりも長い。
【発明の効果】
【０００９】
本発明によれば、複数の光コネクタプラグを確実且つ十分に挿入することができる。
【図面の簡単な説明】
【００１０】
【図１】第１実施形態に係るコネクタを示す斜視図である。
【図２】図１の光コネクタを示す側面図である。
【図３】図３（ａ）は、従来の光コネクタプラグを示す側面図である。図３（ｂ）は、従来の光コネクタプラグの当接部を示す側面図である。図３（ｃ）は、図１の光コネクタの光コネクタプラグを示す側面図である。
【図４】従来の光コネクタプラグを挿入している状態、及び実施形態の光コネクタプラグを挿入している状態を示す図である。
【図５】図５（ａ）は、アダプタを示す側面図である。図５（ｂ）は、アダプタを示す断面図である。
【図６】第２実施形態の光コネクタプラグ及びアダプタを示す断面図である。
【図７】第３実施形態の光コネクタプラグ及びアダプタを示す断面図である。
【発明を実施するための形態】
【００１１】
最初に本発明の実施形態の内容を列記して説明する。本発明の一実施形態に係る光コネクタは、複数のアダプタに接続方向に沿って一括して接続される複数の光コネクタプラグを備えた光コネクタであって、各光コネクタプラグは、光ファイバを保持するフェルールと、フェルールのフェルール端面よりもアダプタの反対側に位置しており各アダプタに当接する当接部と、を備え、フェルール端面から当接部までの距離は、光コネクタの国際規格で定められたフェルール端面から当接部までの距離よりも長い。
【００１２】
本発明の実施形態に係るアダプタは、複数の光コネクタプラグのそれぞれに対応して設けられ、光コネクタプラグが接続方向に沿って接続するアダプタであって、光コネクタプラグに設けられたフェルールに当接される被当接部を備え、光コネクタプラグ側に位置するアダプタ端面から被当接部までの距離は、光コネクタの国際規格で定められたアダプタ端面から被当接部までの距離よりも長い。
【００１３】
一実施形態に係る光コネクタの光コネクタプラグは、光ファイバを保持するフェルールと、アダプタに当接する当接部とを備え、アダプタ側に位置するフェルール端面から当接部までの距離が国際規格で定められた当該距離よりも長い。フェルール端面から当接部までの距離が長いことによって、アダプタに光コネクタプラグを挿入するときの挿入長さを長くすることができる。従って、寸法誤差等によって一部の光コネクタプラグが他の光コネクタプラグよりアダプタの反対側に位置していても、挿入長さが長いことによって全ての光コネクタプラグを確実且つ十分に挿入することができる。よって、一部の光コネクタプラグが十分に挿入されないという問題を抑制することができる。また、一実施形態に係るアダプタは、光コネクタプラグに当接される被当接部を備え、アダプタ端面から被当接部までの距離が国際規格で定められた当該距離よりも長い。よって、アダプタ端面から被当接部までの距離が長いことにより、光コネクタプラグがアダプタの被当接部に当接するまでの挿入長さを長くすることができる。従って、光コネクタプラグを確実且つ十分に挿入することができるので、前述と同様の効果が得られる。
【００１４】
また、光コネクタプラグは、フェルールを収容するフロントハウジングと、アダプタに係合するラッチ機構と、を有し、当接部は、フロントハウジングのアダプタ側に位置する第１当接部、及び、ラッチ機構のアダプタ側に位置する第２当接部を含んでもよい。この場合、フェルール端面からフロントハウジングの第１当接部までの距離、及びフェルール端面からラッチ機構の第２当接部までの距離が長いことにより、光コネクタプラグの挿入長さを長くすることができる。従って、全ての光コネクタプラグを確実且つ十分に挿入することができる。
【００１５】
また、光コネクタプラグは、フロントハウジングのアダプタとの反対側に位置するリアハウジングを更に有し、当接部は、リアハウジングのアダプタ側に位置する第３当接部を含んでもよい。この場合、フェルール端面からリアハウジングの第３当接部までの距離が長いことにより、光コネクタプラグの挿入長さを長くすることができる。
【００１６】
また、光コネクタプラグは、フェルールを収容する収容凹部を備えたフロントハウジングを有し、当接部は、収容凹部の底面である第４当接部、を含んでもよい。この場合、フェルール端面から第４当接部までの距離を国際規格で定められた当該距離よりも長くすることができるので、光コネクタプラグの挿入長さを長くすることができる。
【００１７】
また、被当接部は、光コネクタプラグのフロントハウジングが当接する第１被当接部、及び光コネクタプラグのラッチ機構が当接する第２被当接部を含んでもよい。この場合、アダプタ端面から第１被当接部までの距離、及びアダプタ端面から第２被当接部までの距離が長いことにより、アダプタに対する光コネクタプラグの挿入長さを長くすることができる。
【００１８】
また、被当接部は、光コネクタプラグのリアハウジングが当接する第３被当接部を含んでもよい。この場合、アダプタ端面から第３被当接部までの距離が長いことにより、アダプタに対する光コネクタプラグの挿入長さを長くすることができる。
【００１９】
また、被当接部は、光コネクタプラグの係合凹部に係合するラッチ機構の係合突起を含んでもよい。この場合、アダプタ端面から当該係合突起までの距離が長いことにより、アダプタに対する光コネクタプラグの挿入長さを長くすることができる。
【００２０】
［本発明の実施形態の詳細］
本発明の実施形態に係る光コネクタの具体例を図面を参照しつつ説明する。本発明は、以下の例示に限定されるものではなく、特許請求の範囲によって示され、特許請求の範囲と均等の範囲における全ての変更が含まれることが意図される。図面の説明において同一又は相当する要素には同一の符号を付し、重複する説明を適宜省略する。
【００２１】
本明細書において、「光コネクタの国際規格」は、ＬＣコネクタの規格であるＩＥＣ  ６１７５４−２０（Fibre optic connector interfaces - Part 20: Type LC connector family）、ＳＣコネクタの規格であるＩＥＣ６１７５４−４（Fibre optic interconnecting devices and passive components - Fibreoptic connector interfaces - Part 4 : Type SC connector family）、及びＭＰＯコネクタの規格であるＩＥＣ６１７５４−７（Fibre optic interconnecting devices and passive components - Fibreoptic connector interfaces - Part 7-1 : Type MPO connector family - One fibrerow）を含む。
【００２２】
（第１実施形態）
図１は、第１実施形態に係る光コネクタ１を示す斜視図である。図２は、光コネクタ１の側面図である。光コネクタ１は、例えば、複数のデータセンタ間の光通信の検査を行う検査装置に含まれる検査用の光コネクタである。データセンタのラックには複数の光ファイバが融着された光配線架が設けられている。光配線架に配置された複数のアダプタに光コネクタ１が接続されることにより、上記の光通信の検査が行われる。
【００２３】
近年、データ通信量の増加に伴い前述した光配線架の多心化が進んでおり、アダプタの数も増加の一途を辿っている。例えば、１つの光配線架に設けられたアダプタの数は２８８個である。光コネクタ１は、複数のアダプタに対して一括して挿抜が行われるものであるため、アダプタの数が多くても挿抜にかかる時間を低減することが可能となる。
【００２４】
光コネクタ１は、各アダプタに接続する１２個の光コネクタプラグ１０と、光コネクタプラグ１０を保持するホルダ１５と、ホルダ１５が固定される支持部材１６と、を備える。光コネクタ１は、接続方向である方向Ｄ１に沿ってアダプタに接続する。光コネクタプラグ１０及びアダプタは、方向Ｄ１に交差する方向Ｄ２に沿って配列される。方向Ｄ１は、例えば、ホルダ１５から光コネクタプラグ１０が突出する方向であり、方向Ｄ２は、方向Ｄ１に直交する方向である。
【００２５】
また、複数の光コネクタプラグ１０は、方向Ｄ２に沿って配置されると共に、方向Ｄ１及び方向Ｄ２に交差する方向Ｄ３に沿って配置される。具体例として、方向Ｄ２に沿って６個の光コネクタプラグ１０が配置されると共に、方向Ｄ３に沿って２個の光コネクタプラグ１０が配置される。方向Ｄ３は、方向Ｄ１及び方向Ｄ２に延びる平面に交差する方向であり、例えば、方向Ｄ１及び方向Ｄ２に延びる平面に直交している。
【００２６】
光コネクタプラグ１０は、ＬＣコネクタである。光コネクタプラグ１０は、光ファイバを保持するフェルール１１と、フェルール１１を収容するフロントハウジング１２と、光コネクタプラグ１０をアダプタに係合するラッチ機構１３とを備える。なお、以降の説明では、フェルール１１に対してアダプタが設けられる方向を前方、その反対方向を後方、として説明することがある。
【００２７】
例えば、複数の光コネクタプラグ１０のうち、一部の光コネクタプラグ１０から延びるフェルール１１は、残部の光コネクタプラグ１０から延びるフェルール１１よりもアダプタ側に位置する。すなわち、一部のフェルール１１の端部は、残部のフェルール１１の端部よりも突出量Ｄだけ突出している。突出量Ｄの値は、例えば０．１ｍｍ以上且つ０．５ｍｍ以下であるが、適宜変更可能である。
【００２８】
本実施形態では、方向Ｄ２の両端側に位置するフェルール１１が方向Ｄ２の中央側に位置するフェルール１１よりもアダプタ側に突出している。具体例として、方向Ｄ２の両端側の８個のフェルール１１は、方向Ｄ２の中央側の４個のフェルール１１よりもアダプタ側に突出している。なお、アダプタ側に突出するフェルール１１を備えた光コネクタプラグ１０の個数及び配置態様は適宜変更可能である。
【００２９】
このように、一部の光コネクタプラグ１０のフェルール１１が、残部の光コネクタプラグ１０のフェルール１１よりも突出することにより、方向Ｄ１における光コネクタプラグ１０の実装位置に差が設けられる。従って、アダプタへの挿入時に各光コネクタプラグ１０に生じる挿入抵抗のタイミングをずらすことが可能となり、挿入抵抗の集中を避けることができる。
【００３０】
ホルダ１５は、方向Ｄ３に並ぶ複数の光コネクタプラグ１０を一括して保持する。ホルダ１５は方向Ｄ２に沿って配列されており、各ホルダ１５は支持部材１６に固定されている。例えば、６個のホルダ１５が設けられており、各ホルダ１５は２個の光コネクタプラグ１０を保持する。
【００３１】
支持部材１６は、方向Ｄ２の中央側に位置する４つの光コネクタプラグ１０をアダプタ側に押圧する押圧部１８を備えていてもよい。支持部材１６は、例えば、板状とされている。支持部材１６は、各ホルダ１５を固定する主面１６ａを有し、主面１６ａは、方向Ｄ３の一方側に向けられる。例えば、方向Ｄ２の両端側に位置する４つのホルダ１５は、残り２つのホルダ１５よりもアダプタ側に突出する。
【００３２】
支持部材１６は、光コネクタプラグ１０の後方に位置する把持部１７を備える。把持部１７は、支持部材１６を貫通する開口によって形成されており、当該開口に指を入れて把持部１７を握ることにより、把持しやすい形状とされている。把持部１７を形成する開口は、例えば、方向Ｄ２に沿って延びる長円形である。
【００３３】
次に、図３（ａ）〜図３（ｃ）を参照しながら光コネクタプラグについて詳細に説明する。まず、従来の光コネクタプラグ１１０について説明する。光コネクタプラグ１１０は、ＬＣコネクタである。光コネクタプラグ１１０は、前述したフェルール１１と、フェルール１１を収容するフロントハウジング１１２と、光コネクタプラグ１１０をアダプタに係合するラッチ機構１１３と、フロントハウジング１１２の後側に位置するリアハウジング１１４とを備える。
【００３４】
フロントハウジング１１２の前端、ラッチ機構１１３の前端、及びリアハウジング１１４の前端は、それぞれ、アダプタに当接する第１当接部１１２ａ、第２当接部１１３ａ、第３当接部１１４ａ、及び第４当接部１１４ｂである。第１当接部１１２ａはフロントハウジング１１２の前端に位置しており、第２当接部１１３ａはラッチ機構１１３の前端に位置する。第３当接部１１４ａは、第４当接部１１４ｂから前方に突出している。
【００３５】
光コネクタプラグ１１０は、ＬＣコネクタの規格に準拠した光コネクタプラグである。フェルール１１の前端に位置するフェルール端面１１ａから第１当接部１１２ａまでの距離Ａ１、フェルール端面１１ａから第２当接部１１３ａまでの距離Ａ２、フェルール端面１１ａから第３当接部１１４ａまでの距離Ａ３、は国際規格に準拠している。距離Ａ１は１．３８ｍｍ以上且つ１．７０ｍｍ以下であり、距離Ａ２は２．４８ｍｍ以上且つ３．００ｍｍ以下であり、距離Ａ３は１３．５８ｍｍ以上である。フェルール端面１１ａから第４当接部１１４ｂまでの距離Ａ４は１４．７３ｍｍ以上である。
【００３６】
本実施形態に係る光コネクタプラグ１０は、例えば、光コネクタプラグ１１０から第１当接部１１２ａ、第２当接部１１３ａ、第３当接部１１４ａ及び第４当接部１１４ｂが加工されることによって形成される。具体例として、第１当接部１１２ａ、第２当接部１１３ａ、第３当接部１１４ａ及び第４当接部１１４ｂそれぞれの前端部分が除去される。
【００３７】
これにより、フェルール端面１１ａからフロントハウジング１２の第１当接部１２ａまでの距離Ｂ１、フェルール端面１１ａからラッチ機構１３の第２当接部１３ａまでの距離Ｂ２、フェルール端面１１ａからリアハウジング１４の第３当接部１４ａまでの距離Ｂ３、及びフェルール端面１１ａからリアハウジング１４の第３当接部１４ｂまでの距離Ｂ４は、それぞれ距離Ａ１，Ａ２，Ａ３，Ａ４よりも長い。
【００３８】
すなわち、距離Ｂ１〜Ｂ４のそれぞれは、ＬＣコネクタの規格で定められた距離Ａ１〜Ａ４のそれぞれよりも長い。例えば、距離Ｂ１は１．７０ｍｍより長く且つ２．００ｍｍ以下であり、距離Ｂ２は３．０ｍｍより長く且つ３．６ｍｍ以下であり、距離Ｂ３は１３．９ｍｍ以上であり、距離Ｂ４は１５．１ｍｍ以上である。
【００３９】
次に、本実施形態に係る光コネクタ１から得られる作用効果について説明する。
【００４０】
光コネクタ１の光コネクタプラグ１０は、光ファイバを保持するフェルール１１と、アダプタに当接する当接部１２ａ，１３ａ，１４ａ，１４ｂとを備え、アダプタ側に位置するフェルール端面１１ａから当接部１２ａ，１３ａ，１４ａ，１４ｂまでの距離Ｂ１，Ｂ２，Ｂ３，Ｂ４が国際規格で定められた距離Ａ１，Ａ２，Ａ３，Ａ４それぞれよりも長い。
【００４１】
図３及び図４に示されるように、フェルール端面１１ａから当接部１２ａ，１３ａ，１４ａ，１４ｂまでの距離Ｂ１、Ｂ２、Ｂ３、Ｂ４が長いことによって、アダプタ２０に光コネクタプラグ１０を挿入するときの挿入長さを長くすることができる。従って、寸法誤差等によって一部の光コネクタプラグ１０が他の光コネクタプラグ１０よりアダプタ２０の反対側に位置していても、挿入長さが長いことによって全ての光コネクタプラグ１０を確実且つ十分に挿入することができる。よって、一部の光コネクタプラグ１０が十分に挿入されないという問題を抑制することができる。
【００４２】
また、光コネクタプラグ１０は、フェルール１１を収容するフロントハウジング１２と、アダプタ２０に係合するラッチ機構１３と、を有し、当接部は、フロントハウジング１２のアダプタ２０側に位置する第１当接部１２ａ、及びラッチ機構１３のアダプタ２０側に位置する第２当接部１３ａを含む。
【００４３】
よって、フェルール端面１１ａから第１当接部１２ａまでの距離Ｂ１、及びフェルール端面１１ａから第２当接部１３ａまでの距離Ｂ２が長いことにより、光コネクタプラグ１０の挿入長さを長くすることができる。従って、全ての光コネクタプラグ１０を確実且つ十分に挿入することができる。
【００４４】
また、光コネクタプラグ１０は、フロントハウジング１２のアダプタ２０との反対側に位置するリアハウジング１４を更に有し、当接部は、リアハウジング１４のアダプタ２０側に位置する第３当接部１４ａ，１４ｂを含む。従って、フェルール端面１１ａから第３当接部１４ａ，１４ｂまでの距離Ｂ３，Ｂ４を国際規格で定められた距離Ａ３，Ａ４よりも長くすることができるので、光コネクタプラグ１０の挿入長さを長くすることができる。
【００４５】
（第２実施形態）
次に、第２実施形態について図５（ａ）及び図５（ｂ）を参照しながら説明する。第２実施形態に係るアダプタ２０は、光コネクタプラグ１０のフロントハウジング１２を収容する有底筒状のハウジング収容部２１と、ハウジング収容部２１の内部においてフェルール１１を収容する筒状のフェルール収容部２２とを備える。以下では、前述した内容と重複する説明を適宜省略する。
【００４６】
ハウジング収容部２１は、後端にリアハウジング１４の第３当接部１４ｂが当接するアダプタ端面２１ａを有する。ハウジング収容部２１の底部には、フロントハウジング１２の第１当接部１２ａが当接する第１被当接部２１ｂと、ラッチ機構１３の当接部１３ａが当接する第２被当接部２１ｃとが設けられる。更に、ハウジング収容部２１は、アダプタ端面２１ａから前方に切り欠かれると共にフロントハウジング１２のラッチ機構１３が当接する第３被当接部２１ｄを有する。
【００４７】
ハウジング収容部２１の前端２１ｅから第３被当接部２１ｄまでの距離Ｌ１、及びアダプタ端面２１ａから前端２１ｅまでの距離Ｌ２はＬＣコネクタの規格によって定められた各距離よりも短い。例えば、距離Ｌ１は１０．７ｍｍ以下であり、距離Ｌ２は１４．０ｍｍ以下である。
【００４８】
アダプタ端面２１ａからアダプタ内部の第４被当接部２１ｆまでの距離Ｌ３は、ＬＣコネクタの規格によって定められた当該距離よりも長い。距離Ｌ３は、例えば２．３ｍｍより長く且つ２．８ｍｍ以下である。また、前端２１ｅから第１被当接部２１ｂまでの距離Ｌ４と、第１被当接部２１ｂから第２被当接部２１ｃまでの距離Ｌ５との和は、ＬＣコネクタの規格によって定められた距離よりも小さく、例えば１．４ｍｍ未満である。
【００４９】
以上、第２実施形態に係るアダプタ２０は、光コネクタプラグ１０に当接される被当接部２１ｂ，２１ｃ，２１ｄを備え、アダプタ端面２１ａから被当接部２１ｂ，２１ｃ，２１ｄまでの距離が国際規格で定められた当該距離よりも長い。よって、アダプタ端面２１ａから被当接部２１ｂ，２１ｃ，２１ｄまでの距離が長いことにより、光コネクタプラグ１０の挿入長さを長くすることができる。従って、光コネクタプラグ１０を確実且つ十分に挿入することができるので、第１実施形態と同様の効果が得られる。
【００５０】
また、被当接部は、フロントハウジング１２が当接する第１被当接部２１ｂ、及びラッチ機構１３が当接する第２被当接部２１ｃを含む。よって、アダプタ端面２１ａから第１被当接部２１ｂまでの距離、及びアダプタ端面２１ａから第２被当接部２１ｃまでの距離が長いことにより、アダプタ２０に対する光コネクタプラグ１０の挿入長さを長くすることができる。
【００５１】
また、被当接部は、ラッチ機構１３が当接する第３被当接部２１ｄを含む。また、アダプタ端面２１ａからアダプタ内部の第４被当接部２１ｆまでの距離Ｌ３が長いことにより、アダプタ２０に対する光コネクタプラグ１０の挿入長さを長くすることができる。
【００５２】
（第３実施形態）
続いて、第３実施形態に係る光コネクタプラグ３０及びアダプタ４０について図６を参照しながら説明する。光コネクタプラグ３０及びアダプタ４０は、ＳＣコネクタの規格に準拠している。光コネクタプラグ３０は、光ファイバを保持するフェルール３１と、フェルール３１を収容するフロントハウジング３２と、フェルール３１を付勢するバネ３５とを備える。
【００５３】
フェルール３１は、筒状を成しており、前端にフェルール端面３１ａを有する。フロントハウジング３２は、フェルール３１を収容する収容凹部３３を有し、収容凹部３３の底面はアダプタ４０に当接する第４当接部３３ａとされている。また、フロントハウジング３２は、その表面にアダプタ４０に係合する係合凹部３４を備える。係合凹部３４は、その底面の前端から直立するラッチ当接面３４ａと、係合凹部３４の底面の後側に位置する傾斜面３４ｂとを有する。
【００５４】
ラッチ当接面３４ａから第４当接部３３ａまでの距離Ｌ６、及びラッチ当接面３４ａからフロントハウジング３２の前端３２ａまでの距離Ｌ７は、共にＳＣコネクタの規格で定められた距離よりも短い。これにより、フェルール端面３１ａから前端３２ａまでの距離、及びフェルール端面３１ａから第４当接部３３ａまでの距離は、共に、ＳＣコネクタの規格で定められた距離よりも長い。例えば、距離Ｌ６は−０．４ｍｍ以上且つ−０．２ｍｍ未満であってもよく、距離Ｌ７は５．０ｍｍ以上且つ５．２ｍｍ未満であってもよい。また、ラッチ当接面３４ａから傾斜面３４ｂの前端までの距離Ｌ８は、ＳＣコネクタの規格で定められた値よりも長く、例えば、１．２ｍｍより長く且つ１．６ｍｍ以下である。
【００５５】
アダプタ４０は、筒状のハウジング４１と、ハウジング４１の内部において光コネクタプラグ３０と係合するラッチ機構４２と、ラッチ機構４２の内側においてフェルール３１が挿入されるスリーブ４３とを備える。ラッチ機構４２は、光コネクタプラグ３０の係合凹部３４に係合する係合突起４２Ａを有する。係合突起４２Ａは、後端面４２ａと、後端面４２ａの前方でラッチ当接面３４ａが係止する係止面４２ｂとを有する。また、ラッチ機構４２及びスリーブ４３の間には、フロントハウジング３２の前端３２ａが当接する被当接部４４が設けられる。
【００５６】
係止面４２ｂからスリーブ４３の後端面４３ａまでの距離Ｌ９、及び係止面４２ｂから被当接部４４までの距離Ｌ１０は、ＳＣコネクタの規格で定められた当該距離よりも長い。これにより、アダプタ４０のアダプタ端面４０ａから後端面４３ａまでの距離、及びアダプタ端面４０ａから被当接部４４までの距離は、共にＳＣコネクタの規格で定められた当該距離よりも長い。
【００５７】
例えば、距離Ｌ９は０．４ｍｍより長く且つ１．４ｍｍ以下であり、距離Ｌ１０は５．９ｍｍより長く且つ６．５ｍｍ以下である。また、係止面４２ｂから後端面４２ａまでの距離Ｌ１１は、ＳＣコネクタの規格で定められた値よりも短い。これにより、アダプタ端面４０ａからラッチ機構４２（後端面４２ａ）までの距離は、ＳＣコネクタの規格で定められた当該距離よりも長い。例えば、距離Ｌ１１は、１．６ｍｍ以上且つ１．８ｍｍ未満である。
【００５８】
以上、光コネクタプラグ３０は、フェルール３１を収容する収容凹部３３を備えたフロントハウジング３２を有し、当接部は、収容凹部３３の底面である第４当接部３３ａを含む。そして、フェルール端面３１ａから第４当接部３３ａまでの距離は、ＳＣコネクタの規格で定められた当該距離よりも長いので、光コネクタプラグ３０の挿入深さを深くすることができる。
【００５９】
また、アダプタ４０の被当接部は、光コネクタプラグ３０の係合凹部３４に係合するラッチ機構４２の係合突起４２Ａを含む。よって、アダプタ端面４０ａから係合突起４２Ａまでの距離が長いことにより、アダプタ４０に対する光コネクタプラグ３０の挿入長さを長くすることができる。
【００６０】
（第４実施形態）
次に、第４実施形態に係る光コネクタプラグ５０及びアダプタ６０について図７を参照しながら説明する。光コネクタプラグ５０及びアダプタ６０は、ＭＰＯコネクタの規格に準拠している。光コネクタプラグ５０は、光ファイバを保持するフェルール５１と、光コネクタプラグ５０及びアダプタ６０の位置決めを行うガイドピン５２と、フェルール５１を収容するフロントハウジング５３とを備える。なお、ガイドピン５２はアダプタ６０側に設けられていてもよく、この場合、光コネクタプラグ５０のガイドピン５２が存在した位置にはアダプタ６０のガイドピンが挿入されるガイド孔が形成される。
【００６１】
フェルール５１は、矩形状を成している。フロントハウジング５３は、その表面にアダプタ６０に係合する係合凹部５４及び係合突起５５を備える。係合凹部５４は係合突起５５の後側に設けられている。係合凹部５４の前端からフェルール端面５１ａまでの距離Ｌ１２は、ＭＰＯコネクタの規格で定められた当該距離よりも小さい。例えば、距離Ｌ１２は、８．４ｍｍ以上且つ８．８ｍｍ未満である。また、係合凹部５４の前端から係合凹部５４の後端までの距離Ｌ１３は、ＭＰＯコネクタの規格で定められた値よりも大きい。距離Ｌ１３は、例えば１．８ｍｍ以上である。
【００６２】
アダプタ６０は、光コネクタプラグ５０を収容する筒状のハウジング６１を備える。ハウジング６１の内側には、光コネクタプラグ５０が係合する係合突起６１ａ、及び光コネクタプラグ５０に形成されたキー突起が入り込む溝部６１ｂが設けられる。係合突起６１ａの前端から係合突起６１ａの後端までの距離Ｌ１４は、ＭＰＯコネクタの規格で定められた当該距離よりも短い。これにより、アダプタ６０のアダプタ端面６０ａから係合突起６１ａの後端までの距離は、ＭＰＯコネクタの規格で定められた当該距離よりも長い。例えば、距離Ｌ１４は、１．００ｍｍ未満である。また、溝部６１ｂは、ＭＰＯコネクタの規格で定められた溝部よりも前方に延長されているので、アダプタ６０に対して光コネクタプラグ５０をより深く挿入することが可能となる。
【００６３】
以上、アダプタ６０の被当接部は、光コネクタプラグ５０の係合凹部５４に係合する係合突起６１ａを含む。よって、アダプタ端面６０ａから係合突起６１ａの後端までの距離が長いことにより、アダプタ６０に対する光コネクタプラグ５０の挿入長さを長くすることができる。従って、光コネクタプラグ５０をより深く挿入することができるので、前述した各実施形態と同様の効果が得られる。
【００６４】
以上、本発明の実施形態について説明したが、本発明は、前述の実施形態に限定されず、種々の変更を行うことができる。例えば、前述の実施形態では、リアハウジング１４を備えた光コネクタプラグ１０について説明したが、リアハウジングを有しない光コネクタプラグであってもよい。このように、光コネクタプラグの各部の形状、大きさ、材料、数及び配置態様については、前述した実施形態に限定されず適宜変更可能である。
【００６５】
また、前述の実施形態では、一部の光コネクタプラグ１０のフェルール１１が、残部の光コネクタプラグ１０のフェルール１１よりも突出する光コネクタ１について説明した。しかしながら、一部の光コネクタプラグのフェルールが突出しない光コネクタであってもよい。このように、光コネクタの各部の形状、大きさ、材料、数及び配置態様については前述した実施形態に限られず適宜変更可能である。
【符号の説明】
【００６６】
１…光コネクタ、１０，３０，５０…光コネクタプラグ、１１，３１，５１…フェルール、１１ａ，３１ａ，５１ａ…フェルール端面、１２，３２，５３…フロントハウジング、１２ａ…第１当接部、１３，４２…ラッチ機構、１３ａ…第２当接部、１４…リアハウジング、１４ａ…第３当接部、１５…ホルダ、１６…支持部材、１６ａ…主面、１７…把持部、１８…押圧部、２０，４０，６０…アダプタ、２１…ハウジング収容部、２１ａ…アダプタ端面、２１ａ，４０ａ，６０ａ…アダプタ端面、２１ｂ…第１被当接部、２１ｃ…第２被当接部、２１ｄ…第３被当接部、２１ｅ…前端、２２…フェルール収容部、３２ａ…前端、３３…収容凹部、３３ａ…第４当接部、３４，５４…係合凹部、３４ａ…ラッチ当接面、３４ｂ…傾斜面、３５…バネ、４１，６１…ハウジング、４２Ａ，５５，６１ａ…係合突起、４２ａ…後端面、４２ｂ…係止面、４３…スリーブ、４３ａ…後端面、４４…被当接部、５２…ガイドピン、６１ｂ…溝部、Ａ１〜Ａ４，Ｂ１〜Ｂ４…距離、Ｄ…突出量、Ｄ１〜Ｄ３…方向、Ｌ１〜Ｌ１３…距離。
【図１】
2019053187.tif 000003
【図２】
2019053187.tif 000004
【図３】
2019053187.tif 000005
【図４】
2019053187.tif 000006
【図５】
2019053187.tif 000007
【図６】
2019053187.tif 000008
【図７】
2019053187.tif 000009